(57)【要約】      （修正有）【課題】組み立てが容易な、組み立てた際に立体になるメモを提供する。【解決手段】メモを立体に形成した場合の形状を単純な筒状とし、筒形状の保持のための部品を突出部３と切り欠き部４に限り、立体を形成するための行為を突出部３を切り欠き部４に差し込むという一つに限り、突出部３と切り欠き部４の周辺に差し込む方向を示す記号５を設けることを特徴とする。【選択図】図１
0003209409.tif 000002
【実用新案登録請求の範囲】
【請求項１】
シート状の用紙本体部を備え、
前記用紙本体部に、筒状構成部が設けられ、前記筒状構成部の一端に突出部が、もう一端に切り欠き部が設けられていることを特徴とするメモ用紙。
【請求項２】
突出部及び切り欠き部の周辺に差し込む方向を示す記号が設けられていることを特徴とする請求項１に記載のメモ用紙。
【請求項３】
筒状構成部に装飾部が設けられていることを特徴とする請求項１に記載のメモ用紙。
【請求項４】
筒状構成部に可動装飾部が設けられていることを特徴とする請求項１に記載のメモ用紙。
【考案の詳細な説明】
【考案の詳細な説明】
【技術分野】
【０００１】  本考案は、組み立てて立体にして使用するメモに関するものである。
【背景技術】
【０００２】  従来の技術（特許文献１）は、メモを環状に組み立て、立体にして使用するメモであるが、立体にするまでの工程が複雑であり、組み立ての説明図がなく組み立てることは困難であった。
また、特許文献１のメモは環状に組み立てた後は動きや変化があるものではなかった。
【先行技術文献】
【０００３】
【特許文献１】実用新案登録第３１７７５９２号（Ｕ３１７７５９２）
【考案の概要】
【考案が解決しようとする課題】
【０００４】  特許文献１に記載されているような、従来のメモでは次のような欠点があった。
組み立てる前のシートの状態からは、立体になった際の完成した姿を想起しづらい。また立体形状の保持の為に設けられた部分が多く、形状も複雑のため、説明図なしに組み立てることは困難であった。
前記の理由のため、手作業に於いて未熟な子供や、立体にして使用するメモに普段から馴染みがない人や、折り紙などの紙を折って立体物を形成する文化に馴染みのない外国人には使いやすいとは言い難かった。また説明図があったとしても、説明図の理解が難しい子供が使用することはできず、例えばお土産やギフト、ノベルティなどの用途として利用するには適さなかった。
また、特許文献１のメモは環状に組み立てた後は動きや変化があるものではなかったため、装飾デザインは視覚に限られることが課題であった。
【課題を解決するための手段】
【０００５】  前記課題を解決するために本考案は、組み立ての形状を単純な筒形状とした。
また、筒形状を保持するために設ける部分を、突出部と切り欠き部に限った。
また、突出部と切り欠き部の周辺に、組み立てを補助するための記号を設けた。
また、筒状構成部に装飾部または可動装飾部を設けた。
【考案の効果】
【０００６】  本考案は、前記のような単純な構成であるため、シートの状態であっても、立体になった際の完成した姿を特許文献１と比較すると想起しやすく、販売時に購入者に訴求しやすくなる。
また、立体の形状にするために必要な部分を突出部として筒状構成部から飛び出した形状に設計し、かつ差し込む方向を示す記号を設けることで、説明書を読まずとも直感的に組み立てやすくし、かつ組み立てるための行為を、突出部を切り欠き部に入れるという、ひとつの行為に限ったため、組み立てが飛躍的に容易になった。
また、可動装飾部を設けたことにより、メモの閲覧者に視覚の装飾デザインのみでは得ることができない情動を提供することができるようになった。
【図面の簡単な説明】
【０００７】
【図１】  本考案の実施例１を示す（ａ）正面図、（ｂ）背面図、（ｃ）突出部を切り欠き部に入れる様子を示す図、（ｄ）完成図である。
【図２】  本考案の実施例２を示す（ａ）正面図、（ｂ）正面図、（ｃ）正面図である。
【図３】  本考案の実施例３を示す（ａ）正面図、（ｂ）完成図である。
【図４】  本考案の実施例４を示す（ａ）正面図、（ｂ）完成図である。
【図５】  本考案の実施例５を示す（ａ）正面図、（ｂ）背面図、（ｃ）装飾部の使用状態示す図、（ｄ）突出部を切り欠き部に入れる様子を示す図、（ｅ）完成図である。
【図６】  本考案の実施例６を示す（ａ）正面図、（ｂ）背面図、（ｃ）突出部を切り欠き部に入れる様子を示す図、（ｄ）可動装飾部の使用状態示す図、（ｅ）完成図である。
【図７】  本考案の実施例７を示す（ａ）正面図、（ｂ）背面図、（ｃ）完成図、（ｄ）完成した状態から可動装飾部を開いた図である。
【考案を実施するための形態】
【実施例１】
【０００８】  以下は図１（ａ）正面図、（ｂ）背面図、（ｃ）突出部を切り欠き部に入れる様子を示す図及び、（ｄ）完成図を用いた、本考案の実施例１のメモの形態についての説明である。
用紙本体部１は、筒状構成部２と、筒状構成部２の一端の外側に突出部３、他端の内側に突出部３を差し込むための切り欠き部４が設けられた平面的構成から成る。
筒状構成部２は組み立て前の平面の状態では、例えば（ａ）正面図の様な扇形状の長尺状に形成されており、組み立てた際は円筒の立体形状を形成する。
前記突出部３及び切り欠き部４の周辺には組み立ての際に差し込む方向を示す差し込み記号５を設ける。【０００９】  次に実施例１のメモの組み立て方法について説明する。
実施例１のメモを組み立てる際は、（ｃ）突出部を切り欠き部に入れる様子を示す図にある様に、突出部３を切り欠き部４に差し込み系止させることで、（ｄ）完成図の通り、筒状構成部２を筒の形状で立体的に保持することができる。その際、突出部及び切り欠き部の周辺に設けられた差し込み記号５が差し込む場所や方向を示すガイドとして機能する。
ただし、差し込み記号５はメモの装飾デザインや製造や印刷の都合などで設けられない場合もある。【００１０】  次に実施例１のメモの装飾及びメモスペース部について説明する。
実施例１の用紙本体部１の正面は装飾デザインが施されており、また（ｂ）背面図の通り背面にはメモスペース部６が設けられている。
実施例１のメモを組み立てた際は（ｄ）完成図の様な筒形状に形成され、外側に装飾デザインが配され、筒形状の内側にメモスペース部６が配される。前記のように筒形状の内側にメモスペース部６を設けることにより、メモの外観からメモの内容を第三者に閲覧されることがなくなる。【００１１】  次に実施例１のメモの材質について説明する。
用紙本体部１の材質はシート状の紙から成る。
ただし、材質は紙に限らず、例えば樹脂製のシートや木製のシート、金属製のシートなど筆記が可能であり、また曲げることが可能なシート状のものであれば材質はなんでも構わない。【００１２】  本考案によれば、実施例１のメモは突出部３を切り欠き部４に差し込むという一つの動作でメモを立体形状にすることができ、かつ前記の動作も突出部３と切り欠き部４に設けられた差し込み記号５によって、説明書などの補助がなくても組み立てが容易となっている。【００１３】  次に、本考案の実施例１とは異なる、実施例を説明する。
以下に示す実施例２から実施例７までは、筒状構成部及び突出部、切り欠き部の構成、材質、メモの組み立て方法において実施例１と同様であり、ここでは主として異なる点について説明する。
【実施例２】
【００１４】  以下は図２（ａ）正面図、（ｂ）正面図、（ｃ）正面図を用いた、本考案の実施例２のメモの形態についての説明である。
実施例１の筒状構成部は扇形状であったが、筒状構成部は扇形状に限らない、例えば（ａ）正面図の様に筒状構成部は長方形であったり、（ｂ）正面図の様に円形であったり、（ｃ）正面図の様に三角形状など、様々な形状で形成することが可能である。
【実施例３】
【００１５】  以下は図３（ａ）正面図、（ｂ）完成図を用いた、本考案の実施例３のメモの形態についての説明である。
実施例３の用紙本体部１は、実施例１と同様の平面構成に加え、装飾部８が設けられている。
装飾部８は筒状構成部２から突出した形状で装飾する部位であり、組み立てた後の筒の立体形状に装飾を加えることができる。例えば（ａ）正面図の通り、筒状構成部２に犬の頭部がデザインされた装飾部８ｉ及び、犬の前足をデザインした装飾部８ｉｉ設けることで、（ｂ）完成図のようにメモを組み立てた後、立体形状なっているメモ全体が犬のデザインとなる。
装飾部８の正面、背面の両面または片面には装飾デザインが施される。
【実施例４】
【００１６】  以下は図４（ａ）正面図、（ｂ）完成図を用いた、本考案の実施例４のメモの形態についての説明である。
用紙本体部１は、実施例１と同様の構成に加え、折り位置指定部１０を設けられている。
実施例４は例えば、（ａ）正面図にある折り位置指定部１０ｉ、折り位置指定部１０ｉｉ、折り位置指定部１０ｉｉｉ、折り位置指定部１０ｉｖで折り、突出部３を切り欠き部４に差し込み系止させることで、筒状構成部２を（ｂ）完成図の通り、四角形筒の形状で立体的に保持することができる。
実施例４の折り位置指定部は前記の数に限らず、折り位置指定部の数を変えることで、組み立てた際の形状を変えることができる。例えば折り位置指定部を３箇所設けると組み立て後の立体形状は三角形筒状となり、折り位置指定部を５箇所設けると組み立て後の立体形状は五角形筒状となる。
【実施例５】
【００１７】  以下は図５（ａ）正面図、（ｂ）背面図、（ｃ）装飾部の使用状態示す図、（ｄ）突出部を切り欠き部に入れる様子を示す図、（ｅ）完成図を用いた、本考案の実施例５のメモの形態についての説明である。
実施例５の用紙本体部１は、装飾部８を筒状構成部２の中に折り込んだ後で筒形状を形成することで、実施例３とは異なる装飾の効果を表すことができる。例えば筒状構成部２にカップの装飾デザインを施し、装飾部８に猫の装飾デザインを施すことで、（ｅ）完成図のように、完成した立体形状のメモ全体をカップに猫が入っている情景に見立てることができる。
【実施例６】
【００１８】  以下は図６（ａ）正面図、（ｂ）背面図、（ｃ）突出部を切り欠き部に入れる様子を示す図、（ｄ）可動装飾部の使用状態示す図、（ｅ）完成図を用いた、本考案の実施例６のメモの形態についての説明である。
実施例６の用紙本体部１は、実施例１と同様の平面構成に加え、可動装飾部９が設けられている。
実施例６は可動装飾部９を設けたことにより、実施例１と同様に筒状構成部２を組み立てて立体的に保持した後に動かすことが可能な装飾デザインを加えることができる。例えば、図６はカップ麺のパッケージを模した装飾デザインが施された用紙本体部であり、可動装飾部９はカップ麺の蓋を模した装飾デザインを施している。すると、メモの閲覧者が可動装飾部９を開閉する行為を行う際、カップ麺の蓋を開ける行為に見立てが為される。この前記の行為の見立てにより、メモの閲覧者の情動を生むことができる。この行為の見立てによる情動は特許文献１のような視覚のみの装飾デザインでは起こすことができない。
可動装飾部９の装飾デザインに関しては実施例３に於ける、装飾部８と同様である。
実施例６ではカップ麺の装飾デザインを例に挙げたが、装飾デザインはカップ麺に限られない。
【実施例７】
【００１９】    前記に述べてきた実施例５と実施例６はそれぞれ装飾部が一つだけ設けられた場合の実施例を示しているが、装飾部は一つに限らず、複数設けることもできる。
以下に装飾部を複数設けた場合の実施例７を図７（ａ）正面図、（ｂ）背面図、（ｃ）完成図、（ｄ）完成した状態から可動装飾部を開いた図を用いて説明する。
実施例７の用紙本体部１は、筒状構成部２の上部に可動装飾部９を一つ、下部に装飾部８を一つ、合計二つ設けている。二つの装飾部を使用することで、メモを立体形状に組み立てた際に（ｃ）完成図と（ｄ）完成した状態から可動装飾部を開いた図の二つの図で示すように、カップの蓋を開けるとカップの中に猫が入っているという情景に見立てることができる。
実施例７はメモの閲覧者が蓋に見立てられた可動装飾部９を開けると、猫に見たてられた装飾部８がはじめて現れるという仕組みとなっており、メモの閲覧者に情動を起こす効果が加えられている。
実施例７では装飾部が二つ設けられた例を示したが、装飾部は三つ以上設けられることもある。
また、装飾部を設ける場所は用紙本体部のどこでも構わないし、装飾デザインは前記の例の通りの猫やカップでなくても良い。【００２０】  補助メモスペース部について説明する。
補助メモスペース部には例えば、図６（ａ）正面図と（ｂ）背面図に於ける、補助メモスペース部７に示すように、メモの記入者、メモの宛先、メモの記入日時またはメモの件名など、主要のメモの内容を補助する事柄を記入することができる。
補助メモスペース部は、用紙本体部のどこにでも設けることができる。筒状構成部の装飾部の一部に設けたり、実施例３、実施例５、実施例７に於ける装飾部８に設けたり、実施例６、実施例７に於ける可動装飾部９に設けることができる。
【符号の説明】
【００２１】  １    用紙本体部
２    筒状構成部
３    突出部
４    切り欠き部
５    差し込み記号
６    メモスペース部
７    補助メモスペース部
８    装飾部
９    可動装飾部
１０  折り位置指定部
【図１】
0003209409.tif 000003
【図２】
0003209409.tif 000004
【図３】
0003209409.tif 000005
【図４】
0003209409.tif 000006
【図５】
0003209409.tif 000007
【図６】
0003209409.tif 000008
【図７】
0003209409.tif 000009